(57)【要約】【課題】磁気変換素子の周囲の絶縁体が帯電することに起因する検出エラーを防止できる回転検出センサを提供する。【解決手段】センサケース２内に磁気変換素子１０を収容した回転検出センサ１Ａにおいて、磁気変換素子１０の周囲を覆うセンサケース２のケース体３及びハウジング４の外周に、帯電防止剤を塗布することにより帯電防止層２０を設け、この帯電防止層２０をアース接続した。【選択図】      図１
2005043160.tif 000002
【特許請求の範囲】
【請求項１】
センサケース内に検出素子を収容した回転検出センサにおいて、
前記検出素子の周囲を覆う前記センサケースの個所には少なくとも帯電防止層を設け、この帯電防止層をアース接続したことを特徴とする回転検出センサ。
【請求項２】
前記帯電防止層は、前記センサケースの表面に帯電防止剤を塗布して形成した請求項１に記載の回転検出センサ。
【請求項３】
前記センサケース自体を帯電防止剤入りの材料より形成し、前記センサケース全体を前記帯電防止層として形成した請求項２に記載の回転検出センサ。
【発明の詳細な説明】
【０００１】
【発明の属する技術分野】
本発明は、回転体の回転を検出する回転検出センサに関する。
【０００２】
【従来の技術】
従来より種々の回転検出センサが提案されており、特許文献１は、その一例としての回転検出センサを開示する。
【０００３】
この回転検出センサは、樹脂材等の絶縁材にて形成されたセンサケースを有し、このセンサケースは、磁気変換素子等の電子部品やマグネット等を内部に収容したケース体と、このケース体の開口側に取り付けられたハウジングとから構成されている。磁気変換素子は、ケース体の先端に臨む位置に配置され、ケース体の先端側を被検出位置とする。又、ハウジングには取付け部が設けられている。
【０００４】
このように構成された回転検出センサは、被検出対象物である回転体にケース体の先端面が近接配置するようにハウジングによって固定される。そして、回転体が回転すると、この回転によって磁気変換素子の位置の磁界が変動し、この磁界変動を磁気変換素子が検出することによって回転体の回転情報を出力する。
【０００５】
【特許文献１】
特開２０００−３１０６４６号公報
【０００６】
【発明が解決しようとする課題】
ところで、磁気変換素子の周囲に配置されるセンサケース等の絶縁体が帯電すると、帯電電荷がアーク等することによって磁気変換素子が異常な信号を出力して検出エラーを起こす恐れがある。特に、回転検出センサが自動車のエンジンルーム等のように強電界雰囲気に設置される場合にはセンサケースが帯電し易く、帯電に基づく検出エラーが発生し易くなる。
【０００７】
本発明は前述した事情に鑑みてなされたものであり、本発明の目的は、磁気変換素子の周囲の絶縁体が帯電することに起因する検出エラーを防止できる回転検出センサを提供することにある。
【０００８】
【課題を解決するための手段】
上記の目的を達成するために、請求項１に記載の発明は、検出素子の周囲を覆う前記センサケースの個所には少なくとも帯電防止層を設け、前記帯電防止層をアース接続したことを趣旨とする。
【０００９】
上記構成によれば、センサケースの帯電防止層に電荷が帯電すると、帯電した電荷が直ちに帯電防止層よりアース経路を通って放電されるため、電荷が溜まらない。つまり、センサケースには帯電しない。従って、磁気変換素子の周囲の絶縁体が帯電することに起因する検出エラーを防止できる。
【００１０】
また、請求項２に記載の発明は、帯電防止層は、センサケースの表面に帯電防止剤を塗布して形成した構成としている。
【００１１】
上記構成によれば、センサケースの外周に帯電防止材を塗布するだけで帯電防止層を形成できるため、帯電防止層を容易に作成できる。又、既存のセンサケースに対して容易に帯電防止層を付加できる。
【００１２】
さらに、請求項３に記載の発明は、センサケース自体を帯電防止剤入りの材料より形成し、センサケース全体を帯電防止層として形成した構成としている。
【００１３】
上記構成によれば、センサケースを製造すると同時に帯電防止層を形成できるため、帯電防止層を作成するための特別の製造工程を付加する必要がない。
【００１４】
【発明の実施の形態】
（第１の実施形態）以下、本発明を具現化した第１の実施形態について図面を参照して説明する。
【００１５】
図１は第１実施形態を示し、回転検出センサ１Ａの断面図である。図１において、回転検出センサ１Ａは、樹脂材等の絶縁材にて形成されたセンサケース２を有し、このセンサケース２は、複数段の概略円筒形状に形成されたケース体３と、このケース体３に螺入されたハウジング４とから構成されている。
【００１６】
ケース体３の外周にはシール挿入溝５が形成され、このシール挿入溝５にシール材６が嵌合されている。ケース体３内には部品収容室７が形成され、この部品収容室７に部品ホルダ８が収容されている。部品ホルダ８には複数の導電性金属材のターミナル９が固定されていると共に検出素子である磁気変換素子１０、マグネット１１、他の電子部品１２等が固定されている。磁気変換素子１０及び他の電子部品１２はターミナル９を導電路としている。又、ターミナル９の上端はハウジング４側に突出され、この突出個所が下記するソケット部１５のピン端子９ａとして形成されている。
【００１７】
ハウジング４は、ケース体３より大径のフランジ部１４とこのフランジ部１４より上方に形成されたソケット部１５とを有している。フランジ部１４の底面側にはネジ螺入孔１６が形成され、このネジ螺入孔１６にケース体３のネジ突起部３ａが螺入されている。フランジ部１４で、且つ、ソケット部１５の外側に突出された個所には、回転検出センサ１Ａを取付けするためのネジ挿通孔１７が形成されている。このネジ挿通孔１７の内周面には導電性金属製のスリーブ１８が固定されている。
【００１８】
ソケット部１５には上方に開口するピン接続室１５ａが形成され、このピン接続室１５ａに前記したピン端子９ａが配置されている。このソケット部１５には外部コネクタ（図示せず）が接続可能に形成され、外部コネクタ（図示せず）を介して回転検出センサ１Ａに給電したり、回転検出センサ１Ａの検出信号を外部に出力する。
【００１９】
又、ケース体３の全ての外周面及びハウジング４の底面には、帯電防止剤を塗布することによって帯電防止層２０が形成されている。帯電防止剤としては、非磁性材の導電物質を含んだ物が使用されている。
【００２０】
このように構成された回転検出センサ１Ａは、自動車のエンジンルーム内の例えば車体構造物２１のセンサ取付け孔２２にケース体３が挿入され、挿入されたケース体３はハウジング４の底面が車体構造物２１に当接される位置まで挿入されている。そして、ハウジング４のネジ挿通孔１７に挿入された取付けネジ２３を車体構造物２１に螺入することによって固定されている。ケース体３の先端面は、被検出対象物であるギア体２４に近接配置されている。又、帯電防止層２０は、導電性金属製のスリーブ１８や取付けネジ２３を介して、又は、直接に車体構造物２１に接続されることによってアース接続されている。
【００２１】
上記構成において、ギア体２４が回転すると、この回転によって磁気変換素子１０の位置の磁界が変動し、この磁界変動を磁気変換素子１０が検出することによってギア体２４の回転情報を出力する。ここで、自動車のエンジンルーム等のように強電界雰囲気に設置される場合にはセンサケース２の外周が帯電し易く、センサケース２の帯電防止層２０に電荷が帯電すると、帯電した電荷が直ちに帯電防止層２０よりアース経路を通って放電されるため、電荷が溜まらない。つまり、センサケース２には帯電しない。従って、磁気変換素子１０の周囲の絶縁体が帯電することに起因する検出エラーを防止できる。
【００２２】
上記第１実施形態では、帯電防止層２０は、センサケース２の表面に帯電防止剤を塗布して形成したので、センサケース２の外周に帯電防止材を塗布するだけで帯電防止層２０を形成できるため、帯電防止層２０を容易に作成できる。又、既存のセンサケースに対して容易に帯電防止層を形成できる。
【００２３】
上記第１実施形態では、帯電防止剤としては、非磁性材の導電物質を含んだ物を使用したので、帯電防止層２０が磁界に悪影響を及ぼす恐れがなく、検出精度の劣化を防止できる。
【００２４】
（第２の実施形態）以下、本発明を具現化した第２の実施形態について図面を参照して説明する。
【００２５】
図２は第２実施形態を示し、回転検出センサ１Ｂの断面図である。図２において、この第２実施形態の回転検出センサ１Ｂは、センサケース３０を構成するケース体３１及びハウジング３２自体が帯電防止剤入りの材料より形成され、ケース体３１及びハウジング３２の全体が帯電防止層３３として形成されている。
【００２６】
他の構成は、前記第１実施形態と同様であるため、図面の同一構成個所には同一符号を付してその説明を省略する。
【００２７】
この第２実施形態では、センサケース３０のケース体３１及びハウジング３２を製造すると同時に帯電防止層３３を形成できるため、帯電防止層３３を作成するための特別の製造工程を付加する必要がないという利点がある。
【００２８】
尚、この発明は、次のような別の実施形態に具現化することができる。以下の別の実施形態において上記実施形態と同様な作用及び効果を得ることができる。
【００２９】
（１）上記第１実施形態において、センサケース２の外周面に帯電防止層２０を形成する構成とした。これに対し、センサケース２の内周面に帯電防止層２０を形成する構成にしても良い。このような構成でも同様の効果が得られる。但し、帯電防止層２０をセンサケース２の内周面に形成した場合にはセンサケース２の外周面に形成する場合に比べてアース接続が一般的に面倒である。
【００３０】
（２）上記第１実施形態において、磁気変換素子１０の周囲に配置されるセンサケース２の個所、つまり、ケース体３の全ての外周面及びハウジング４の底面に帯電防止層２０を形成する構成とした。これに対し、センサケース２の全ての外周に帯電防止層２０を形成しても良い。このような構成とすることにより、センサケース２への帯電を確実に防止できるという効果が得られる。
【００３１】
（３）上記第１及び第２実施形態において、検出素子は磁気変換素子１０にて構成したが、被検出対象物の回転を検出できるものであれば良い。
【００３２】
更に、上記実施形態から把握し得る請求項以外の技術思想について、以下にその効果と共に記載する。
【００３３】
（イ）請求項１〜請求項３に記載の回転検出センサにおいて、帯電防止剤としては、非磁性材の導電物質を含んだ物を使用することを特徴とする回転検出センサ。
【００３４】
この構成によれば、帯電防止層が磁界に悪影響を及ぼす恐れがなく、検出精度の劣化を防止できる。
【００３５】
（ロ）請求項１〜請求項３、又は、上記（イ）項に記載の回転検出センサにおいて、検出素子は磁気変換素子であることを特徴とする回転検出センサ。
【図面の簡単な説明】
【図１】本発明の第１実施形態を示し、回転検出センサの断面図である。
【図２】本発明の第２実施形態を示し、回転検出センサの断面図である。
【符号の説明】
１Ａ，１Ｂ  回転検出センサ
２，３０  センサケース
１０  磁気変換素子（検出素子）
２０，３３  帯電防止層
【図１】
2005043160.tif 000003
【図２】
2005043160.tif 000004